(57)【要約】【課題】  少ない数のＬＥＤで広範囲の表示部を照らすことができる照明付表示装置を提供する。【解決手段】  内部に光源となるＬＥＤ８を設けた筐体５に、光を透過して表示体６を出現させる表示部７を配置した照明付表示装置であって、前記筐体５内に前記ＬＥＤ８から発する光を前記表示部７に向けて拡散して反射する反射板９を設けることにより、ＬＥＤから発する光を、前記反射板９で拡散して反射させて前記表示部７を照らすことにより、少ない数のＬＥＤ８で表示部７に表示された表示体６を広い範囲で出現させるようにした。【選択図】    図３
2005189629.tif 000002
【特許請求の範囲】
【請求項１】
内部に光源となるＬＥＤを設けた筐体に、光を透過して表示体を出現させる表示部を配置した照明付表示装置であって、前記筐体内に前記ＬＥＤから発する光を前記表示部に向けて拡散して反射する反射板を設けたことを特徴とする照明付表示装置。
【請求項２】
前記反射板の反射面を、凹凸状に形成したことを特徴とする請求項１に記載の照明付表示装置。
【発明の詳細な説明】
【技術分野】
【０００１】
本発明は、内部に光源を設けた筐体に、光を透過して表示体を出現させる表示部を配置した照明付表示装置であって、前記光源からの光が表示部を透過して表示部の表示体が出現する照明付表示体に関する。
【背景技術】
【０００２】
従来から、内部に光源を設けた筐体に、光を透過して表示体を出現させる表示部を配置した照明付表示装置として、広告看板、建物の玄関付近に設置される郵便受、表札等に用いられ、例えば、文字、図形等の広告媒体や、住所、氏名などの表示体を、光が透過することが可能なように構成して設けた表示部を筐体の一部に有し、夜間になると、筐体の内部に設けた光源から発する光が表示部を透過して表示部の表示体が出現するように構成されたものが知られている。
【０００３】
このような照明付表示装置の光源として用いられるものとして、一般に、蛍光灯、電球が使用されている。しかしながら、蛍光灯や電球は、交換の頻度が多くなり、メンテナンスが大変であるといった問題があったり、長時間の使用により発せられる熱が問題となったりする。
【０００４】
そこで、このような照明付表示体の光源として、前記蛍光灯や電球よりも耐久性に優れ、しかもこれら蛍光灯や電球に比べると熱を発せず、なお且つ消費電力の少ないＬＥＤを用いた照明付表示装置が提案されている（例えば、特許文献１参照。）。
【特許文献１】特開平４−２５３０９０号公報
【発明の開示】
【発明が解決しようとする課題】
【０００５】
しかしながら、ＬＥＤは、蛍光灯や電球に比べると広い範囲を照らすことはできない。このため、表示部が広い場合には多数のＬＥＤを用いなければならず、コストが高くなってしまうという問題があった。
【０００６】
本発明の目的は、少ない数のＬＥＤで広範囲の表示部を照らすことができる照明付表示装置を提供することにある。
【課題を解決するための手段】
【０００７】
上記課題を解決するために、請求項１に記載の発明は、内部に光源となるＬＥＤを設けた筐体に、光を透過して表示体を出現させる表示部を配置した照明付表示装置であって、前記筐体内に前記ＬＥＤから発する光を前記表示部に向けて拡散して反射する反射板を設けたことを特徴とする。
【０００８】
請求項２に記載の発明は、請求項１に記載の、前記反射板の反射面を、凹凸状に形成したことを特徴とする。
【発明の効果】
【０００９】
上記請求項１に記載の発明によれば、前記筐体内に前記ＬＥＤから発する光を前記表示部に向けて拡散して反射する反射板を設けたので、ＬＥＤから発する光は、前記反射板において拡散して反射することにより光が広い範囲に広がり前記表示部を照らすことになり、これにより、少ない数のＬＥＤで表示部に表示された表示体を広い範囲で出現させることができる。
【００１０】
請求項２に記載の発明によれば、前記反射板の反射面を、凹凸状に形成したので、ＬＥＤから発する光が反射板の凹凸状に形成した反射面により、高い拡散反射率で反射し、一層広い範囲に渡って表示部を照らすことができるものとなる。
【発明を実施するための最良の形態】
【００１１】
以下、図面を参照して本発明を実施するための最良の形態の一例について詳細に説明する。
【００１２】
図１乃至図３は本発明に係る照明付表示装置の実施の形態の第１例を示すもので、図１は本発明に係る照明付表示装置を広告看板とし使用した実施例を示す斜視図、図２は図１に示す照明付表示装置の拡大斜視図、図３は図１に示す照明付表示装置の拡大断面図である。
【００１３】
図において、１は広告看板２として使用される照明付表示装置、３は照明付表示装置１を支持するスタンドである。前記照明付表示装置１は、屋根型頂部４を有する扁平な筐体５の一部に、光を透過して表示体６を出現させる表示部７を配置し、筐体５内には、ＬＥＤ８を備え、更に、筐体５内に前記ＬＥＤ８から発する光を前記表示部７に向けて拡散して反射する反射板９を設けた構成となっている。
【００１４】
前記表示部７にあっては、アクリル板等の光を透過させる材料よりなる透光板７ａに、光を透過することにより出現する文字、数字等の広告媒体からなる前記表示体６を設けて構成され、この表示部７は筐体５の前面に配置されている。
【００１５】
また、前記ＬＥＤ８は筐体５の上部に設けた支持板１０に支持されており、筐体５内に設けられている反射板９の反射面９ａに向かって投光するように配置されている。
【００１６】
前記筐体５の屋根型頂部４には、前記ＬＥＤ８を発光させるための電源となる太陽電池１１が設けられており、また、筐体５の上部に設けた支持板１０上には、太陽電池１１に接続された二次電池とＬＥＤ８の点灯及び消灯を制御するための回路を備えた回路基板（図示せず）が設けられている。
【００１７】
前記のように、本例ではＬＥＤ８を発光させるための電源として太陽電池１１が用いられているが、これに限定されないことは勿論である。
【００１８】
また、前記筐体５内に設けられて、前記ＬＥＤ８から発する光を前記表示部７に向けて拡散して反射する反射板９の反射面９ａにあっては、入射した光を、少なくとも前記表示部７の全面を照らせる程度に拡散して反射ことができるようになっていればよい。
【００１９】
本例では、前記反射板９は筐体５の底壁１２及び後壁１３に設けられていて、前記ＬＥＤ８から発する光が底壁１２に設けられた反射板９に向かって投光するようになっている。また本例では、底壁１２に設けた反射板９の反射面９ａが山型に形成されており、この反射面９ａの表示部７側に傾斜した面に入射した光は、直接表示部７側に反射し、後壁１３側に傾斜した面に入射した光は、後壁１３に設けた反射板９の反射面９ａに反射して、更に表示部７側に反射することにより、拡散されて表示部７を広い範囲で照らすようになっている。
【００２０】
なお、本例では前記反射板９が筐体５の底壁１２及び後壁１３に設けられているが、いずれか一方にのみ設けられていてもよい。また、前記反射板９の反射面９ａの形状は、前記のように入射した光を拡散反射できるものであればその形状に特に限定されるものではない。例えば、突面形状、多数の凹凸形状等がある。特に、反射面９ａが凹凸形状に形成されていると、ＬＥＤ８から発する光が反射板９の凹凸状に形成した反射面９ａにより、高い拡散反射率で反射し、一層広い範囲に渡って表示部７を照らすことができるので好適である。
【００２１】
図４乃至図６は反射板９の他例を示す断面図であり、このうち図５及び図６では、前記反射板９は筐体５の底壁１２にだけ設けられており、後壁１３には設けられていない。
【００２２】
このように構成された照明付表示装置１によれば、昼間、太陽電池１１によって太陽光が受光され、この太陽電池１１に接続された二次電池に蓄電される。そして、夜になると二次電池に蓄電された電気によってＬＥＤ８が点灯し、このＬＥＤ８から、筐体５の底壁１２に設けた反射板９に向かって発せられた光が、この反射面９ａの表示部７側に傾斜した面から反射して表示部７に投射するとともに、後壁１３側に傾斜した面から反射して後壁１３に設けた反射板９の反射面９ａに投射し、ここで更に反射して表示部７に投射することにより、拡散されて表示部７を広い範囲で照らす。そして、表示部７を照らした光が表示部７を透過し、表示部７に設けた表示体６が明瞭に出現する。
【００２３】
図７及び図８は本発明に係る照明付表示装置の実施の形態の第２例を示すもので、図７は本発明に係る照明付表示装置を郵便受けに使用した実施例を示す斜視図、図８は図７のＡ−Ａ線拡大断面図である。
【００２４】
同図において、１４は郵便受け１５に使用される照明付表示装置であり、照明付表示装置１４は、郵便受け本体１６に開閉可能に設けられている蓋体１７に取り付けられている。
【００２５】
更に詳細には、前記蓋体１７には、四角形状の開口部１８が形成されており、この開口部１８に前記照明付表示装置１４が取り付けられている。この照明付表示装置１４は、筐体１９の前面に光を透過して住所、氏名等を表示する表示体２０を出現させる表示部２１を配置し、筐体１９内には、ＬＥＤ２２を備え、更に、筐体１９内に前記ＬＥＤ２２から発する光を前記表示部２１に向けて拡散して反射する反射板２３を設けた構成となっている。
【００２６】
前記筐体１９の前面に配置した表示部２１、ＬＥＤ２２、ＬＥＤ２２から発する光を前記表示部２１に向けて拡散して反射する反射板２３にあっては、前記第１例に示した広告看板２として使用される照明付表示装置１を構成する表示部７、ＬＥＤ８、ＬＥＤ８から発する光を前記表示部７に向けて拡散して反射する反射板９と構成を同じくするので、第１例に示した実施例の説明を援用し、その詳細な説明を省略する。
【００２７】
前記のように構成された前記照明付表示装置１４は、筐体１９の前面に配置されている表示部２１が前記蓋体１７に形成されている開口部１８から露出するように、蓋体１７の内側にボルト２４により取り付けられている。
【００２８】
また、本例では、前記蓋体１７に、前記ＬＥＤ２２を発光させるための電源となる太陽電池２５が設けられており、また、郵便受け本体１６内の適宜箇所に太陽電池２５に接続された二次電池とＬＥＤ２２の点灯及び消灯を制御するための回路を備えた回路基板（図示せず）が設けられている。
【００２９】
このように構成された照明付表示装置１４によれば、昼間、太陽電池２５によって太陽光が受光され、この太陽電池２５に接続された二次電池に蓄電される。そして、夜になると二次電池に蓄電された電気によってＬＥＤ２２が点灯し、このＬＥＤ２２から筐体１９に設けた反射板２３に向かって発せられた光が拡散されて表示部２１を広い範囲で照らす。そして、表示部２１を照らした光が表示部２１を透過し、表示部２１に設けた住所、氏名等を表示する表示体２０が明瞭に出現する。
【図面の簡単な説明】
【００３０】
【図１】本発明に係る照明付表示装置の実施の形態の第１例を示すもので、本発明に係る照明付表示装置を広告看板とし使用した実施例を示す斜視図。
【図２】図１に示す照明付表示装置の拡大斜視図。
【図３】図１に示す照明付表示装置の拡大断面図。
【図４】図１に示す照明付表示装置の反射板の他例を示す断面図。
【図５】図１に示す照明付表示装置の反射板の他例を示す断面図。
【図６】図１に示す照明付表示装置の反射板の他例を示す断面図。
【図７】本発明に係る照明付表示装置の実施の形態の第２例を示すもので、本発明に係る照明付表示装置を郵便受けに使用した実施例を示す斜視図。
【図８】図７のＡ−Ａ線拡大断面図。
【符号の説明】
【００３１】
１    照明付表示装置
２    広告看板
３    スタンド
４    屋根型頂部
５    筐体
６    表示体
７    表示部
７ａ    透光板
８    ＬＥＤ
９    反射板
９ａ    反射面
１０    支持板
１１    太陽電池
１２    底壁
１３    後壁
１４    照明付表示装置
１５    郵便受け
１６    郵便受け本体
１７    蓋体
１８    開口部
１９    筐体
２０    表示体
２１    表示部
２２    ＬＥＤ
２３    反射板
２４    ボルト
２５    太陽電池
【図１】
2005189629.tif 000003
【図２】
2005189629.tif 000004
【図３】
2005189629.tif 000005
【図４】
2005189629.tif 000006
【図５】
2005189629.tif 000007
【図６】
2005189629.tif 000008
【図７】
2005189629.tif 000009
【図８】
2005189629.tif 000010